(57)【要約】【課題】  充電式の電池を備えた持ち運び可能な装置は、通常、使用者の机などで作業するときに電源アダプタを接続して充電を行うが、可搬性が利点となる装置の場合は、持ち運びの度に電源アダプタと接続する必要がある。また、卓上作業中に電源の接続を忘れて、実際に持ち運ぶときに電池が残容量が不足したりする場合がある。【解決手段】  本発明は、複数の送電用コイルをもち、各々のコイルを別々に通電可能な送電システムと受電用コイルと通信機能を持つ受電システムによって構成される充電システムにおいて、送電システムの通信機と受電用システムの通信により受電用コイルの位置を特定する機能を持つ事を特徴とする。また、前記受電システムの移動による通信断または充電終了まで通信を維持することを特徴とする。【選択図】図１
2006081249.tif 000002
【特許請求の範囲】
【請求項１】
複数の送電用コイルをもち、各々のコイルを別々に通電可能な送電システムと受電用コイルと通信機能を持つ受電システムによって構成される充電システムにおいて、送電システムの通信機と受電用システムの通信により受電用コイルの位置を特定する機能を持つ事を特徴とする充電システム。
【請求項２】
前記受電システムの移動による通信断または充電終了まで通信を維持することを特徴とする、請求項１記載の充電システム充電システム。
【発明の詳細な説明】
【技術分野】
【０００１】
本発明は、持ち運び可能な小型の装置に電力供給する充電システムに関する。
【背景技術】
【０００２】
例えば、パーソナルコンピュータ、ＰＤＡ（Personal Digital（Data） Assistants）などの情報処理装置をはじめとする各種機器の小型化にともない、それらの機器を、例えば家庭用ＡＣ電源などに接続して、所定の場所で利用するだけではなく、任意の場所で利用したいという要求がある。
【０００３】
従来は、ネットワークの接続、プリンタなどの周辺機器の接続、電源アダプタの接続などがあり、持ち運ぶ為にはケーブルやアダプタを外す必要があった。
【０００４】
最近、無線のネットワークが普及し、周辺機器もネットワーク対応化が進み、従来に比べてケーブルの接続などは少なくなったが、電源アダプタは変わらず使用されている。
【０００５】
【特許文献１】特開２００３−００００００号公報
【発明の開示】
【発明が解決しようとする課題】
【０００６】
上記した持ち運び可能な装置は充電式の電池を備えており、電源の無いところでは電池で動作し、電源のあるところで充電用のアダプタと接続して充電を行うといった使用方法となる。
【０００７】
通常、使用者の机などで作業するときに電源アダプタを接続して充電を行う事になるが、可搬性が利点となる装置において、持ち運びの度に電源アダプタと接続する必要がある。また、卓上作業中に電源の接続を忘れて、実際に持ち運ぶときに電池の残容量が不足したりする場合がある。
【０００８】
安全性の面では、ＰＣ側のコネクタのみを抜いた場合、通電された端子が外部にさらされ、ピンなどが接点部に入り込むことでショートする危険もあるため、コンセント側も外す必要がある。しかし、コンセントの位置は通常机の下などにあり、外すのに手間がかかるため、ピンが通電された状態のまま放置される場合が多々ある。
【０００９】
本発明は、使用者が意識することなく、安全に充電可能な充電システムを提供することを目的とする。
【課題を解決するための手段】
【００１０】
本発明は、複数の送電用コイルをもち、各々のコイルを別々に通電可能な送電システムと受電用コイルと通信機能を持つ受電システムによって構成される充電システムにおいて、送電システムの通信機と受電用システムの通信により受電用コイルの位置を特定する機能を持つ事を特徴とする。また、前記受電システムの移動による通信断または充電終了まで通信を維持することを特徴とする。
【発明の効果】
【００１１】
本発明によれば、持ち運び装置が移動したときや充電完了したときに自動的に通電を終了するため、安全に電源のオン/オフができる。また、通信が成立しない場合は通電しないため、他の金属や導線などが卓上マット上にあっても発熱する心配は無い。
【発明を実施するための最良の形態】
【００１２】
以下、本発明の実施例を図面を用いて説明する。
【実施例１】
【００１３】
図１は、送電システムの卓上マットの構成を示す。送電用コイル１０１と通信手段１０２はセットでセル１０３を構成する。送電用マット１０４はセル１０３をタイル状に並べた構成となっている。
【００１４】
図２は、卓上マット２０１にノートＰＣ２０２を置くときの状態を２次元で示している。ノートＰＣ２０２が充電可能な状態にあるとき、通信手段２０３、２０４は送電システムの通信手段と通信を行うため、信号を定期的に出力する。この信号は通信手段２０３と通信手段２０４を区別できるように特徴づけられており、かつ、信号の受信可能な有効距離は送電マットの通信手段２０５、２０６間の距離より１〜１．数番程度の微弱な信号とする。この信号を出力している状態でノートＰＣ２０２が卓上マット２０１に近づくと卓上マット２０１の通信手段２０５、２０６、２０７で信号を受信可能となり、卓上マット２０１は充電用コイルが近くにあることを検知する。
【００１５】
卓上マット２０１は通信手段２０５、２０６で通信手段２０３の信号を受信し、通信手段２０５と通信手段２０６で受信した信号を比較する事で通信手段２０３に一番近い通信手段２０６を特定する。また、通信手段２０６、２０７では通信手段２０４の信号を受信し、通信手段２０６と通信手段２０７で受信した信号を比較する事で通信手段２０４に一番近い通信手段２０７を特定する。
【００１６】
卓上マット２０１は前記特定された通信手段２０６、２０７の２点の間にあるセル２０８を充電用のコイルと判断し通電する。ノートＰＣ２０２の置かれた位置や向きによって２点が共に通信手段２０６となったり、通信手段２０５と通信手段２０７の様に２点間に２つのセルがはいる場合があるが、このときはあらかじめ決められた優先順位、もしくは２番目に近い通信手段の位置に応じてセルを選択し、隣り合うセルは選択しないことで送電用コイル同士が干渉しないようにする。充電が終了するまで通信手段２０３、２０４は信号を送信し続ける。
【００１７】
例えば、ノートＰＣ２０２を卓上マット上で通信手段２０５の方向に移動した場合、通信手段２０５、２０６、２０７と通信手段２０３、２０４の間の距離が変わる。このとき、通信手段２０３の一番近くにある送電側の通信手段は通信手段２０６から通信手段２０５になり、卓上マット２０１は通信手段２０５が近いと判断して通電するセルの制御を変更する。このとき、通信手段２０４に一番近い通信手段も通信手段２０７から通信手段２０６になり、同様に卓上マットは通信手段２０６が近いと判断して通電するセルの制御を変更する。常に一番近い通信手段を確認する事で卓上マット２０１上でノートＰＣ２０２が移動しても同時に通電するセルを制御してより近い位置の送電コイルが選択される。
【００１８】
例えば、ノートＰＣ２０２を他の場所へ移動した場合、卓上マット２０１上の通信手段とノートＰＣ２０２上の通信手段との距離が有効距離以上になった時点で卓上マット２０１は充電可能な装置が無くなったとしてセル２０８への通電を停止する。
【００１９】
図３は、送電システムに複数の持ち運び可能な装置をおいた場合の図である。
【００２０】
卓上マット３０３上にすでにノートＰＣ３０１が置かれている場合、セル３０２に対応するセルが選択されている状態で、携帯電話３０５が置かれた場合も先に述べた手順に従ってセルを選択する。その際、セル３０２とセル３０５を区別するため、セル３０２とセル３０５は装置の違いを特定する識別可能な情報を持つ。卓上マット３０３は新たに受信した信号に含まれる情報が、すでに充電中の装置と違う場合にのみセルに通電を行う。
【００２１】
以上説明したように、本発明は、送電用コイルは複数存在し、それぞれ独立に通電のオン／オフができる。卓上マットと持ち運び可能な装置は装置がおかれた場所で通信を行い、持ち運び可能な装置/受電用コイルの位置を特定する。卓上マットは受電用コイルに一番近い位置の送電用のコイルに通電し、電磁誘導式の充電を行う。必要な送電コイルのみに通電する事で使用者は充電を意識せず、マットの上に置くだけで充電開始できる。
【００２２】
送電用システム／受電用システムの通信手段は充電が続く間は定期的に通信を行い持ち運び可能な装置があることを確認する。充電途中で装置が移動した場合、送電用システムと受電用システムの間の通信が切れ、送電用システムは充電が終了したと判断して、対応する送電用コイルの通電をオフにする。
【００２３】
また、持ち運び可能な装置の充電が完了した場合、受電用システムの通信手段は通信を終了する。送電システムの通信手段により通信の切れたことを検知した卓上マットは充電が終了したと判断して、対応する送電用コイルの通電を終了する。
【図面の簡単な説明】
【００２４】
【図１】送電システムの構成を示した説明図である。（実施例１）
【図２】充電システムで持ち運び可能な装置の位置検出を行う場合の説明図である。（実施例１）
【図３】送電システムに複数の持ち運び可能な装置をおいた場合の説明図である。（実施例１）
【符号の説明】
【００２５】
１０１  送電用コイル
１０２  通信手段
１０３  セル
１０４  卓上マット
２０１  卓上マット
２０２  ノートＰＣ
２０３  通信手段
２０４  通信手段
２０５  通信手段
２０６  通信手段
２０７  通信手段
２０８  セル
３０１  ノートＰＣ
３０２  セル
３０３  卓上マット
３０４  セル
３０５  携帯電話
【図１】
2006081249.tif 000003
【図２】
2006081249.tif 000004
【図３】
2006081249.tif 000005